(57)【要約】【課題】解像度が１２００ｄｐｉ以上の印刷品質を持っていて、様々な高級パターンのイメージをそのまま表現できると共に、機械の作動構造が簡単で、生産コスト及び維持管理費用がかなり節減でき、故障率もほとんどなく、アフターサービス費用もほとんどかからないため、採算性が非常に高く、そのために爪だけではなく、身体の顔や腕の一部、又は、本の表紙、ペンなどに自分が直接デザインをしたり、欲しいパターン及び個性のある様々なパターンをペインティングしたりすることができるペインティングホルダー移動装置とこれを備えた自動販売機用のアートペインティング装置を提供する。【解決手段】函体で形成されていて、移動手段であるブランケットが締結されたハウジング、蓋を有するペインティングホルダーを備えるペインティングホルダー移動装置において、ペインティングホルダーがブラケットによって繋がって移動され、その一方の内部に接続部が形成されているトレーと、トレーとトレーシャフトとのスライディング運動によって繋がっているトレーフレームと、トレーフレームの下部に締結されているギアフレームと、ギアフレームに締結され、連動されるステッピングモーター及びステッピングモーターによって駆動する第１の減速ギア、第２の減速ギア、ベルト駆動ギアと、ベルト駆動ギアと繋がって、往復運動をするとともに接続部に挿入され、固定されていて、トレーを直線運動させるためのタイミングベルトと、トレーフレームとタイミングベルトの上に位置されていて、タイミングベルトの張力を一定に保持させる弾発ばねを有するベルトローラーと、トレーフレームの内側の前方及び後方に締結され、トレーの直線運動の間隔を設定するペインティング位置センサーとストップセンサーを備える。
2005506231.tif 000002
【特許請求の範囲】
【請求項１】
函体で形成されていて、移動手段であるブランケットが締結されたハウジング、蓋を有するペインティングホルダーを備えるペインティングホルダー移動装置において、
前記ペインティングホルダーが前記ブラケットによって繋がって移動され、
その一方の内部に接続部が形成されているトレーと、
前記トレーとトレーシャフトとのスライディング運動によって繋がっているトレーフレームと、
前記トレーフレームの下部に締結されているギアフレームと、
前記ギアフレームに締結され、連動されるステッピングモーター及び前記ステッピングモーターによって駆動する第１の減速ギア、第２の減速ギア、ベルト駆動ギアと、
前記ベルト駆動ギアと繋がって、往復運動をするとともに前記接続部に挿入され、固定されていて、前記トレーを直線運動させるためのタイミングベルトと、
前記トレーフレームとタイミングベルトの上に位置されていて、タイミングベルトの張力を一定に保持させる弾発ばねを有するベルトローラーと、
トレーフレームの内側の前方及び後方に締結され、前記トレーの直線運動の間隔を設定するペインティング位置センサーとストップセンサーを備える
ことを特徴とするペインティングホルダー移動装置。
【請求項２】
ペインティング対象物を位置させて、保存手段に保存されたペインティングパターンの中で一つ以上のペインティングパターンを表示手段によって認識し、入力手段で選択すると共に、制御手段が制御する移動手段を通じてペインティング手段、またはペインティング対象物を移動させて、ペインティング手段でペインティング対象物にペインティングパターンを印刷する自動販売機用のペインティング装置において、
前記移動手段は、前記ペインティング対象物を位置させるペインティングホルダーがブラケットによって繋がって移動され、
その一方の内部に接続部が形成されているトレーと、
前記トレーとトレーシャフトとのスライディング運動によって繋がっているトレーフレームと、
前記トレーフレームの下部に締結されているギアフレームと、
前記ギアフレームに繋がって連動されるステッピングモーター及び前記ステッピングモーターによって駆動する第１の減速ギア、第２の減速ギア、ベルト駆動ギアと、
前記ベルト駆動ギアと繋がって、往復運動をするとともに前記締結部に挿入され、固定されていて、前記トレーを直線運動させるためのタイミングベルトと、
前記トレーフレームとタイミングベルトの上に位置されていて、タイミングベルトの張力を一定に保持させる弾発ばねを有するベルトローラーと、
トレーフレームの内側の前方及び後方に繋がって、前記トレーの直線運動の間隔を設定するペインティング位置センサーとストップセンサーを有するペインティングホルダー移動装置を備える
ことを特徴とする自動販売機用のアートペインティング装置。
【請求項３】
ペインティング対象物は、人体の指で、
ペインティングホルダーは函体で形成されていて上部が開放でき、
後方に移動手段であるブラケットが締結されているハウジングと、
該ハウジングの内側の下部にネジで締結されている圧縮コイルばねによって上下方向で弾発支持される指の置き台と、
前記ハウジングの右側面で一側面の中心がねじりコイルばねを有する軸ピンによって軸受けされ、上部の先が前記ハウジングの上部に位置されるロッカーと、
一側面が前記ハウジングの左側面にねじりコイルばねを有する軸ピンによって軸受けされ、中心にペインティング筒孔が形成されていて、他側面が前記ロッカーの他側の先に固定される蓋を備える
ことを特徴とする請求項２に記載の自動販売機用のアートペインティング装置。
【請求項４】
ペインティング対象物は、人体の顔で、
ペインティングホルダーは、人体の顔の顎と額を支えてくれる帯の形で、
後方にペインティングホルダー移動装置のブラケットが締結、固定される顔支持台を備える
ことを特徴とする請求項２に記載の自動販売機用のアートペインティング装置。
【請求項５】
ペインティング対象物は、人体の腕で、
ペインティングホルダーは管体で、人体の手と腕が挿入、支持される挿入孔が形成された腕支持筒を備える
ことを特徴とする請求項２に記載の自動販売機用のアートペインティング装置。
【請求項６】
ペインティング対象物は、本の表紙で、
ペインティングホルダーは板体で、本の表紙を所定高さまで補正する位置補正手段を有し、
後方にブラケットが締結、固定される本支持板を備える
ことを特徴とする請求項２に記載の自動販売機用のアートペインティング装置。
【請求項７】
ペインティング対象物はペンで、
ペインティングホルダーは管体であり、投入孔を有し、ペンの左右側の揺れを防ぎ、ペンを所定の高さまで補正す位置補正手段を有すると共に、後方にブラケットが締結、固定されるペン筒を備える
ことを特徴とする請求項２に記載の自動販売機用のアートペインティング装置。
【請求項８】
前記位置補正手段はペインティング対象物の高さを感知する高さ感知センサーと、
下部の内側に位置されていて、ペインティング対象物の上部の表面にペインティングができるように所定の位置までペインティング対象物を上昇又は下降させるラックとピニオンを有するモーターが形成された
ことを特徴とする請求項６または請求項７に記載の自動販売機用のアートペインティングの装置。
【請求項９】
前記ペインティング手段は、解像度が９００〜３６００ｄｐｉであるインクジェット方式のカラープリンターである
ことを特徴とする請求項４に記載の自動販売機用のアートペインティング装置。
【発明の詳細な説明】
【技術分野】
【０００１】
本発明は、ペインティングホルダー移動装置とこれを備えた自動販売機用のアートペインティング装置に関する。より詳しく説明すると、解像度が１２００ｄｐｉ以上の印刷品質を持っていて、様々な高級パターンのイメージをそのまま表現することができ、機械の作動構造が簡単で、生産コスト及び維持管理費用がかなり節減できると共に、故障率がほとんどなく、アフターサービスの費用もほとんどかからないため、採算性が非常に高く、更に、爪だけではなく、身体の中の顔や腕の一部、または、本の表紙、ペンなどに自分が直接デザインをしたり、欲しいパターン及び個性のある様々なパターンをペインティングしたりすることができるペインティングホルダー移動装置とこれを備えた自動販売機用のアートペインティング装置に関するものである。
【背景技術】
【０００２】
一般的に、裸に絵を描く美術の一種で、皮膚芸術であるボディーペインティング(body painting)があるが、顔や身体の一部に絵柄を施すことを示していて、マニキュアを用いて人間の爪の表面に絵を施すネイルアート(nail art)というものも流行っている傾向であり、これは自分の個性を表現する一つの手段として使われている現状である。
【０００３】
ボディーペインティングやネイルアートのような身体彩色(body pigmentation)は、伝統的な風習の一種で、入れ墨をしたり、植物、泥などで顔や身体に模様を施したりする風習を言う。
【０００４】
これは人体変更の一種で、法事、儀式などの公式行事だけで、彩色する場合もあった。また、呪術又は宗教的な意味を持つ儀式と結合されている場合が多い。
【０００５】
例えば、ポリネシア（Polynesia）、ニューカレドニア、ニュージーランドのマオリ族など太平洋諸島の部族だけではなく、アッサムのダプ、ナガ、アボルなどの部族でも、主に男が成年式で身体に入れ墨をする風習がある。
【０００６】
また、南アメリカのグァナ族、ナムビクアラ族、ボロロ族などは、繊細な幾何学のモチーフ、非対称図形のアラビア模様などの身体塗飾モチーフで顔や身体を飾る。
【０００７】
フランスの人類学者であるC.レヴィ・ストロースによると、これらの部族の顔面塗飾は、複合社会で身分の序列を表していると言う。
【０００８】
そして、入れ墨(tattoo)というものがあるが、皮膚や皮下組織に傷をつけ、色素をすり込んで、文字・紋様・絵柄などを描き出すことで、文明社会で入れ墨の風習は装飾的な意味が強く、個人の趣味を表しているものが多い。
【０００９】
エロチックな入れ墨では、拳銃や矢で貫通された心臓、錠が下ろされた心臓、ランプ、花・旗を表したものなどがある。また、他人を呪うためには、馬蹄、角が付いている手、星條旗などがあるし、復讐の入れ墨には骸骨や刀に切られた首、死者の棺、蛇に噛まれた心臓などがある。
【００１０】
浮浪者・囚人達の間に行われている入れ墨は、かなり派手なもので、模様にも異色的なものが多い。特に、恥部に浅ましく、淫乱な模様を施す。そして、浮浪者社会では、その階層の上下を示すための入れ墨もある。
【００１１】
今日では、美容法として眉をはっきり見せるために、眉に入れ墨をしたり、目や唇ラインにも入れ墨をしたりもする。
【００１２】
ところが、このような入れ墨は、いつでも消せるボディーペインティングやネイルアートに比べて、なかなか消せないという弱点を持っている。
【００１３】
ボディーペインティングは、直接自分の身体の一部にペインティングできるが、目が届かない背中などの部位は、直接できない。特に、顔の部位は、鏡を見ながらペインティングしなければならないので、熟練された技術を必要とする。そのため、一般人が専門家の手を借りなくては、事実上一人ではなかなか難しいところがあった。
【００１４】
また、身体の爪にマニキュアでパターンを装飾するネイルアートは、熟練された専門家ではない場合には、絵などを爪の表面に施すことが困難であった。また、熟練者でも右利きである場合には、自分の右手の爪の表面に、左利きである場合には、左手の爪の表面にネイルアートを施すことは極めて困難である。
【００１５】
この様な問題に対して、人間の爪の表面に接着できるように薄いシートの表面にネイルアートの模様を印刷し、印刷したシートを爪の表面に合わせて切断する方法及び装置が提案されている（例えば、特許文献１参照）。
【００１６】
また、特許文献２には、指ホルダーの上に一つ以上の爪の表面を支持させ、制御手段に保存された印刷パターンの中で、一つ以上の印刷パターンを選択し、前記制御手段が制御する移動手段を通じて印刷手段と前記指ホルダーのうち、片方又は双方を移動させ、前記印刷手段で印刷させることで選択した前記印刷パターンを前記爪の表面に印刷することを特徴とする"ネイルアート方法"と、爪の表面を支持できる指ホルダー、印刷パターンを保存し、その中で一つ以上の印刷パターンの選択ができる制御手段、前記制御手段で制御・選択された前記印刷パターンを前記爪の表面に印刷する印刷手段及び前記制御手段で制御され、前記印刷手段と前記指ホルダーのうち、いずれかの片方又は双方を移動させる移動手段で構成され、前記制御手段は、選択された前記印刷パターンが前記爪の表面に印刷できるように前記移動手段を通じて前記指ホルダーと前記印刷手段を相対的に移動させることを特徴とする"ネイルアート装置"が提案されている。
【００１７】
【特許文献１】
特開平６−７０８１０公報
【００１８】
【特許文献２】
韓国特許出願公開２０００−７５５６６号公報
【発明の開示】
【発明が解決しようとする課題】
【００１９】
しかし、特許文献１に記載されているようなシートは、爪の表面に接着するものであるため、簡単に分離されてしまい、爪の部位が汚く見える問題点があった。
【００２０】
また、特許文献２に記載されているような従来の技術は、解像度が３００ｄｐｉほどの一般プリンターの印刷品質でパターンを印刷するため、印刷品質がよくなく、低級パターンでしか印刷することができなかった。これ以上の解像度を持つ印刷品質を表現することができない構造的な問題点があった。
【００２１】
なお、機械の作動構造が複雑で、生産コストも高く、作動時に頻繁に故障を起こすだけではなくて、これによるアフターサービスの費用の上昇で、採算性が合わなくなり、実際には使いにくいといった問題点もあった。
【００２２】
本発明は、前記したような問題点を解決する為のものであって、解像度が１２００ｄｐｉ以上の印刷品質を持っていて、様々な高級パターンのイメージをそのまま表現できると共に、機械の作動構造が簡単で、生産コスト及び維持管理費用がかなり節減でき、故障率もほとんどなく、アフターサービス費用もほとんどかからないため、採算性が非常に高く、更に、爪だけではなく、身体の顔や腕の一部、又は、本の表紙、ペンなどに自分が直接デザインをしたり、欲しいパターン及び個性のある様々なパターンをペインティングしたりすることができるペインティングホルダー移動装置とこれを備えた自動販売機用のアートペインティング装置を提供することに、その目的がある。
【課題を解決するための手段】
【００２３】
前記したような目的を達成する為に、本発明のペインティングホルダー移動装置は、函体で形成されていて、移動手段であるブラケットが締結されたハウジング、蓋を有するペインティングホルダーを備えるペインティングホルダー移動装置において、前記ペインティングホルダーが前記ブラケットによって繋がって移動され、その一方の内部に接続部が形成されているトレーと、前記トレーとトレーシャフトとのスライディング運動によって繋がっているトレーフレームと、前記トレーフレームの下部に締結されているギアフレームと、前記ギアフレームに締結され、連動されるステッピングモーター及び前記ステッピングモーターによって駆動する第１の減速ギア、第２の減速ギア、ベルト駆動ギアと、前記ベルト駆動ギアと繋がって、往復運動をするとともに前記接続部に挿入され、固定されていて、前記トレーを直線運動させるタイミングベルトと、 前記トレーフレームとタイミングベルト上に位置されていて、タイミングベルトの張力を一定に保持させる弾発ばねを有するベルトローラーと、トレーフレームの内側の前方及び後方に締結され、前記トレーの直線運動の間隔を設定するペインティング位置センサーとストップセンサーを備えることを特徴とする。
【００２４】
また、本発明の自動販売機用のアートペインティング装置は、ペインティング対象物を位置させて、保存手段に保存されたペインティングパターンの中で一つ以上のペインティングパターンを表示手段によって認識し、入力手段で選択すると共に、制御手段が制御する移動手段を通じてペインティング手段、または、ペインティング対象物を移動させて、ペインティング手段でペインティング対象物にペインティングパターンを印刷する自動販売機用のペインティング装置において、前記移動手段は、前記本発明のペインティングホルダー移動装置であることを特徴とする。
【００２５】
特に、前記ペインティング対象物が人体の指である場合、指ペインティングホルダーは函体で形成されていて上部が開放でき、後方に移動手段であるブラケットが締結されたハウジングと、ハウジングの内側の下部にネジで締結されている圧縮コイルばねによって上下方向で弾発支持される指の置き台と、前記ハウジングの右側面で一側面の中心がねじりコイルばねを有する軸ピンによって軸受けされ、上部の先が前記ハウジングの上部に位置されるロッカーと、一側面が前記ハウジングの左側面にねじりコイルばねを有する軸ピンによって軸受けされ、本体の中心にペインティング筒孔が形成されていて、他側面が前記ロッカーの他側の先に固定される蓋を備える。
【００２６】
また、前記ペインティング対象物が人体の顔である場合、ペインティングホルダーは、人体の顔の顎と額を支持してくれる帯の形で、後方にペインティングホルダー移動装置のブラケットが締結され、固定される顔支持台を備える。
【００２７】
ペインティング対象物が人体の腕である場合、ペインティングホルダーは管体で、人体の手と腕が挿入、支持される挿入孔が形成されている腕支持筒を備える。
【００２８】
前記ペインティング対象物が本の表紙である場合、ペインティングホルダーは板体で、本の表紙を適切な高さまで補正する位置補正手段を有し、後方にブラケットが締結され、固定される本支持板を備える。
【００２９】
前記ペインティング対象物がペンである場合、ペインティングホルダーは管体で、投入孔を有し、ペンの左右側の揺れを防ぎ、ペンを適切な高さまで補正する位置補正手段を有すると共に、後方にブラケットが締結され、固定されるペン筒を備える。
【００３０】
前記位置補正手段は、ペインティング対象物の高さを感知する高さ感知センサーと、 本支持板及びペン支持孔の下部内側に位置され、ペインティング対象物の上部表面にペインティングができる適切な位置までペインティング対象物を上昇または下降させるラックとピニオンを有するモーターを備える。
【００３１】
前記ペインティング手段は、解像度が９００〜３６００ｄｐｉのインクジェット方式のカラープリンターである特徴がある。
【発明の効果】
【００３２】
このように、本発明は解像度が１２００ｄｐｉ以上の印刷品質を持っていて、様々な高級パターンのイメージをそのまま表現できる。また、機械の作動構造が簡単で、生産コスト及び維持管理費用がかなり節減できる。そして、故障率もほとんどなく、アフターサービスの費用もほとんどかからないため、採算性が非常に高い。更に、爪だけではなく、身体の顔や腕の一部、又は本の表紙、ペンなどに自分が直接デザインしたり、欲しいパターン及び個性のある様々なパターンをペインティングしたりすることができる効果がある
【発明を実施するための最良の形態】
【００３３】
以下、本発明を添付された図面に基づいて、より詳しく説明すると次の通りである。
図１は、本発明の自動販売機用のアートペインティング装置の様子を示すシステム概略図で、同図において、表示手段であるモニター１、データーの入力手段としての操作部２、絵や文字などのペインティング状態が前記モニター１を通じて確認できるようにカメラ５で構成されている。そして、ペインティング手段として、プリンターＡが提供されている。このような構成要素の制御及び演算手段としてメインボード３が有機的に繋がっている。
【００３４】
前記プリンターＡは、爪の上に様々な絵や文字及びパターンをペインティングするためにインクを噴射するインクノズル６と、指を固定する指ホルダー７、前記指ホルダー７をプリンターＡのインクノズル６のペインティング位置まで移動させるペインティングホルダー移動装置４で構成されている。その他に、本発明のプリンターは、通常のプリンターの同様に、信号が入力される受信端子部と、インクを噴射するノズルを持つインクカートリッジ、受信端子部を通じて入力された信号によってインクカートリッジを作動させる制御部と、インクカートリッジが分離できるようになっていて、往復移動できるようにインクカートリッジ案内レールを持っている。
【００３５】
図２ａは、本発明の自動販売機用のアートペインティングの装置のプリンター部の様子を示す正面概略図で、図２ｂは、本発明の自動販売機用のアートペインティング装置のプリンター部の様子を示す側面概略図であり、図で示すようにインクノズル６はプリンターフレーム１０と繋がっていて、矢印方向で左・右の往復運動をする。また、ペインティングホルダー移動装置４は、プリンターベース９とトレーフレームブラケット２５によって固定される。
【００３６】
前記指ホルダー７は、後述するペインティングホルダー移動装置４とブラケット２０で繋がって往復運動をする器具的な特徴を持っているが、これに関しては後で述べる。
【００３７】
また、プリンターＡが爪にペインティングを行う間に指の揺れを防ぎ、安定的に固定されるように、下部には下敷き８が設置されていて、プリンターフレーム１０の双面及び後面にはプリンター固定ブラケット１１が締結されて固定されることで、前記プリンターベース９の揺れを事前に防げるようになっている。
【００３８】
図３ａは、本発明の一実施例である指ペインティングホルダーとその移動装置の組み立ての状態を示す説明図で、図に示すようにペインティングホルダーの一例として、指ホルダー７は、図面上で点線の四角で表している。なお、函体で形成されていて、上部が開放できる。ハウジング１４の内側の下部には、圧縮コイルばね１９，１９’が繋がる指の置き台１３がネジ１８で弾発できるように設置されている。
【００３９】
前記ハウジング１４の右側の外側面には、軸ピン１７によってねじりコイルばね１６が装着されたロッカー１５が作動できるよう軸受けされ、ハウジング１４左側の外側面には、軸ピン１７ａによってねじりコイルばね１６ａが装着されたペインティング筒孔Ｂを持つ蓋１２が作動できるよう軸受けされる。
【００４０】
前記ペインティングホルダー移動装置４の動力であるステッピングモーター２９は、ギアフレーム３４に繋がっていて、前記ステッピングモーター２９によって発生する駆動力は、ギアフレーム３４内側で、第１の減速ギア３０と、第２の減速ギア３１とベルト駆動ギア３２を経て十分に減速される。
【００４１】
図３ｂは、移動装置の各部品の結合状態を示す説明図で、図３ｃは、移動装置の各部品が結合された状態でトレーフレーム２６とトレー２１の結合状態を示す図で、図３ｄは、図３ｂの元部分を拡大した拡大図である。
【００４２】
図に示すように第１の減速ギア３０、第２の減速ギア３１とベルト駆動ギア３２を経て減速された駆動力は、タイミングベルト２２に伝達される。前記タイミングベルト２２は、トレーフレーム２６の中で弾発ばね１９ａで弾発されるベルトローラー２８によって一定な張力を保持し、トレー２１内側でトレー２１の一側と結合され、ベルト駆動ギア３２と連動する。また、タイミングベルト２２の一側は前記したようにベルト駆動ギア３２と連動する。前記ベルト駆動ギア３２は、ベルト止めワッシャー３３と結合される。
【００４３】
前記タイミングベルト２２の材質はゴムで、トレー２１の内側の接続部２１ａに挿入・固定され、ベルトローラー２８とベルト駆動ギア３２には適切な張力が保持される。
【００４４】
つまり、前記のように、ステッピングモーター２９によって発生した駆動力は、タイミングベルト２２に伝わる。前記タイミングベルト２２は、ベルトローラー２８とベルト駆動ギア３２によって一定の張力を受ける状態であるとともに、トレー２１の内側の接続部２１ａに挿入され、固定されるため、ベルト駆動ギア３２が回転すると、タイミングベルト２２も回転する。それによって前記タイミングベルト２２が接続部２１ａに挿入、固定されるため、トレー２１が直線運動をすることになる。
【００４５】
前記タイミングベルト２２の運動は、一定の張力を受ける状態での運動であるため、図３ａ“Ｃ”区間内で行われる。前記トレー２１の直線運動(図３ｂの矢印参照)は、トレーフレーム２６内側に設置されているペインティング位置センサー２３とＳＴＯＰセンサー２４によって、その進行運動の幅が決まる。
【００４６】
図３ｅは、トレーシャフト２７とトレー２１との結合関係を示す説明図で、図示したとおり前記トレーフレーム２６と繋がっているトレー２１は、その一側にスライディングできるように結合されているトレーシャフト２７によって繋がる。また、前記のように一側面に接続部２１ａが形成されていて、タイミングベルト２２と固定される。
【００４７】
これによって、タイミングベルト２２の運動は、トレー２１の移動運動に繋がり、トレー２１の精密な移動はトレーシャフト２７とのスライディング運動によって行われる。
【００４８】
また、指ホルダー７とペインティングホルダー移動装置４は、図３ａのブラケット２０で繋がっていて、トレー２１の移動運動が指ホルダー７に伝わって、移動される。
【００４９】
このような指ホルダー７は、ネイルアートペインティング装置の外部に位置されていて、使用者が指を指ホルダー７に入れて、固定した後の指ホルダー７がネイルアートペインティング装置の内部のペインティング位置まで移動する。ペインティングが完了すると、初期位置まで復帰させてくれる構造になっている。
【００５０】
従って、使用者が直接ネイルアートペインティング装置のペインティング位置まで指を入れて、ペインティングが完了した後、指を外す過程が除去されているため、使いやすくなる。
【００５１】
また、指を指ホルダー７に固定する前に、蓋１２のペインティング領域であるペインティング筒孔Ｂを目で確かめて、爪の位置を適切に調節できる。また、ペインティング位置センサー２３によって、最適のペインティング位置を決めることができる。
【００５２】
図４ａは、本発明の一実施例である指ホルダーに指を固定する前の作動様子を示す要部の拡大断面図で、図示したとおり指３５を指置き台１３の上に乗せて、蓋１２を矢印方向で回転させる。蓋１２の印刷領域であるペインティング筒孔Ｂを確認した後、指３５の上にかぶせてロッカー１５で固定させる。
【００５３】
図４ｂは、本発明の一実施例である指ホルダーの指を固定した後の作動様子を示す要部の拡大断面図で、図示したとおり指は圧縮コイルばね１９の張力によって指の置き台１３が矢印方向(上部方向の矢印参照)で指を追い出す。これとともにロッカー１５で固定されている蓋１２の反力(下方向の矢印参照)が指に同時に作用することで、左・右の方向で揺れなく固定される。
【００５４】
前記のように、力の合力による固定方式は、ネイルアートペインティング装置のペインティング手段であるプリンターＡで、爪に絵や文字をペインティングする時、印刷品質に影響を及ぼす指３５の揺れを事前に防ぐことができ、最高の印刷品質を得ることができる。
【００５５】
図５は、本発明の他の実施例である顔支持台の様子を示す断面図で、図に示すように顔支持台５２ａ，５２ｂは、顔５０の顔面形状をした模型の板体で形成され、板体の額部位と頬部位にペインティング筒孔Ｂを複数形成し、顔５０の顎部位と額部位を支えて、目部位や鼻又は口部位を選別的に被せる蓋５４をオプションで装着させ、ペインティングする時、試薬によって汚染されることを防ぐことが望ましい。顔支持台５２ａ，５２ｂの後方にはペインティングホルダー移動装置４のブラケット２０が固定される。
【００５６】
図６は、本発明の他の実施例である腕支持筒の作動の様子を示す図で、図に示すように腕支持筒６２は、円筒状で、一側又は複数のところにペインティング筒孔Ｂが形成されていて、腕６０が入るように一側面が切開され、蝶番６４によって開放されたり、閉められたりする。腕支持筒６２の一側面の後方にはペインティングホルダー移動装置４のブラケット２０が固定される。
【００５７】
図７は、本発明の他の実施例である本支持板の作動の様子を示す要部の拡大断面図で、図に示すように本支持板７２は、板体で切断されている。下部の内側の位置補正手段４０によって適切に乗降されるよう乗降モーター４２がピニオン４３を駆動させ、ラック４４を上昇させたり、下降させたりして、高さ感知センサー４６によって、適切な位置で本支持板７２に置いてある本の表紙７０に絵や文字または、パターンがペインティングされる。
【００５８】
本の表紙７０が置いてある本支持板７２は、固定台４５の上部に置いてあるものである。
乗降モーター４２は、固定台４５に固定され、固定台４５の後方にはペインティングホルダー移動装置４のブラケット２０が結合される。
【００５９】
図８は、本発明の他の実施例であるペン筒の様子を示す図で、図に示すようにペン筒８２は、円筒状で、一側にはペインティング筒孔Ｂが形成されていて、一側の先の投入孔８３にペン８０が入れられ、他側の先にはペインティングホルダー移動装置４のブラケット２０が結合される。
【図面の簡単な説明】
【００６０】
【図１】本発明の自動販売機用のアートペインティング装置の様子を示すシステム概略図である。
【図２ａ】本発明の自動販売機用のアートペインティング装置のプリンター部を示す正面概略図である。
【図２ｂ】本発明の自動販売機用のアートペインティング装置のプリンター部の様子を示す側面概略図である。
【図３ａ】本発明の一実施例である指ペインティングホルダーとその移動装置の組立て状態を示す説明図である。
【図３ｂ】移動装置の各部品の結合状態を示す説明図である。
【図３ｃ】移動装置の各部品が結合された状態で、トレーフレーム２６とトレー２１の結合状態を示す説明図である。
【図３ｄ】図３ｂの元の部分を拡大した拡大図である。
【図４ａ】本発明の一実施例である指ホルダーに指を固定する前の作動様子の要部を示す拡大断面図である。
【図４ｂ】本発明の一実施例である指ホルダーに指を固定した後の作動様子の要部を示す拡大断面図である。
【図５】本発明の他の実施例である顔支持台の様子を示す断面図である。
【図６】本発明の他の実施例である腕支持筒の作動様子を示す説明図である。
【図７】本発明の他の実施例である本支持板の作動様子の要部を示す拡大断面図である。
【図８】本発明の他の実施例であるペン筒の様子を示す説明図である。
【符号の説明】
【００６１】
１    モニター
２    操作部
３    メインボード
４    ペインティングホルダー移動装置
５    カメラ
６    インクノズル
７    指ホルダー
８    下敷き
９    プリンターベース
１０    プリンターフレーム
１１    プリンター固定ブラケット
１２    蓋
１３    指の置き台
１４    ハウジング
１５    ロッカー
１６，１６ａ    ねじりコイルばね
１７，１７ａ    軸ピン
１８    ネジ
１９，１９’    圧縮コイルばね
１９ａ    弾発ばね
２０    ブラケット
２１    トレー
２１ａ  接続部
２２    タイミングベルト
２３    ペインティング位置センサー
２４    ＳＴＯＰセンサー
２５    トレーフレームブラケット
２６    トレーフレーム
２７    トレーシャフト
２８    ベルトローラー
２９    ステッピングモーター
３０    第１の減速ギア
３１    第２の減速ギア
３２    ベルト駆動ギア
３３    ベルト止めワッシャー
３４    ギアフレーム
３５    指
４０    位置補正手段
４２    乗降モーター
４３    ピニオン
４４    ラック
４５    固定台
４６    高さ感知センサー
５０    顔
５２ａ，５２ｂ    顔支持台
５４    カバー
６０    腕
６２    腕支持筒
６３    挿入孔
６４    蝶番
７０    本の表紙
７２    本支持板
８０    ペン
８２    ペン筒
８３    投入孔
Ａ    プリンター
Ｂ    ペインティング筒孔（ペインティング領域）
Ｃ    タイミングベルトの直線運動区間
Ｄ    トレー挿入固定部分
【国際公開パンフレット】
2005506231.tif 000003
2005506231.tif 000004
2005506231.tif 000005
2005506231.tif 000006
2005506231.tif 000007
2005506231.tif 000008
2005506231.tif 000009
2005506231.tif 000010
2005506231.tif 000011
2005506231.tif 000012
2005506231.tif 000013
2005506231.tif 000014
2005506231.tif 000015
2005506231.tif 000016
2005506231.tif 000017
2005506231.tif 000018
2005506231.tif 000019
2005506231.tif 000020
2005506231.tif 000021
2005506231.tif 000022
2005506231.tif 000023
2005506231.tif 000024
2005506231.tif 000025
2005506231.tif 000026
2005506231.tif 000027
2005506231.tif 000028
2005506231.tif 000029
2005506231.tif 000030
2005506231.tif 000031
2005506231.tif 000032
2005506231.tif 000033
2005506231.tif 000034
2005506231.tif 000035
2005506231.tif 000036
2005506231.tif 000037
2005506231.tif 000038
2005506231.tif 000039
2005506231.tif 000040
2005506231.tif 000041
2005506231.tif 000042
【国際調査報告】
2005506231.tif 000043
2005506231.tif 000044